【手続補正書】
【提出日】平成15年5月7日(2003.5.7)
【手続補正１】
【補正対象書類名】明細書
【補正対象項目名】特許請求の範囲
【補正方法】変更
【補正の内容】
【特許請求の範囲】
【請求項１】
顧客の金融アカウントから、商店主／請求書作成者への、または、該商店主／請求書作成者と関連した支払いプロセッサへの支払いを容易にするための方法であって、
前記方法は、１つ以上のコンピュータプロセッサを用いて実行される段階を具備し、前記段階は、
複数の金融機関からの、少なくとも１人の顧客についての金融アカウント情報を、メモリ内にコンパイルする段階と、
特定の顧客に関連するトランザクション情報を受信しかつ記憶する段階と、
顧客についての金融アカウント情報を、メモリから回収する段階と、
金融アカウント情報を顧客に提示する段階と、
顧客による、金融アカウントのうちの少なくとも１つの選択を受信しかつ記憶する段階と、
選択された１つまたは複数の金融アカウントの情報を、商店主／請求書作成者に、または、該商店主／請求書作成者と関連した支払いプロセッサに提供する段階と
であることを特徴とする方法。
【請求項２】
前記金融アカウント情報は、クレジットカード、チャージカード、デビットカード、スマートカード、バンクカード、要求払い預金、銀行当座預金、仮想支払いアカウント、仮想キャッシュアカウント、電信送金ネットワーク、金融電子データ交換（ＦＥＤＩ）、電子小切手、自動手形交換所（ＡＣＨ）、および、ストアードバリュー型ツールのうちの少なくとも１つに対応することを特徴とする請求項１に記載の方法。
【請求項３】
前記複数の金融アカウント情報データベースのうちの少なくとも２つを、１つの統合型金融アカウント情報データベースの形に統合する段階をさらに具備し、
前記回収段階は、前記統合型データベースを検索する段階を含むことを特徴とする請求項１に記載の方法。
【請求項４】
複数の顧客の金融アカウントの中から、１つ以上の金融アカウントの部分集合を選択する段階と、
部分集合を顧客に提示する段階と
をさらに具備することを特徴とする請求項１に記載の方法。
【請求項５】
前記アカウントの部分集合は、商店主／請求書作成者にとって受諾可能な金融アカウントを含むことを特徴とする請求項４に記載の方法。
【請求項６】
２つ以上の金融アカウントが選択される場合に、１つのトランザクションについての支払いを、２つ以上の金融アカウント間で分割する段階をさらに具備することを特徴とする請求項１に記載の方法。
【請求項７】
１つ以上の金融アカウントが顧客に提示される場合の順序を、金融アカウント情報を顧客に提示する前に選択する段階をさらに具備することを特徴とする請求項１に記載の方法。
【請求項８】
前記選択された顧客の金融アカウント情報を、前記商店主／請求書作成者に、または、支払いプロセッサに提供する前に暗号化する段階と、
金融アカウント情報を、顧客に提示される前に暗号化するか、または、切り捨てる段階と
をさらに具備することを特徴とする請求項１に記載の方法。
【請求項９】
前記複数の金融機関のうちの少なくとも１つからの前記金融アカウント情報を更新する段階をさらに具備することを特徴とする請求項１に記載の方法。
【請求項１０】
顧客が登録された顧客であるか否かを判断する段階と、
顧客がまだ登録されていなければ、顧客を登録する段階と
をさらに具備することを特徴とする請求項１に記載の方法。
【請求項１１】
前記顧客を登録する段階は、該顧客のＰＩＮおよびバイオメトリック測定値を捕捉する段階をさらに含むことを特徴とする請求項１０に記載の方法。
【請求項１２】
前記バイオメトリック測定値は、音声パターン、指紋、網膜スキャン、または、筆跡サンプルを含むことを特徴とする請求項１１に記載の方法。
【請求項１３】
前記ＰＩＮ、バイオメトリック測定値、または、これらの両方を、ＰＩＮまたはバイオメトリック測定値がそれぞれ記憶されたデータベースと比較する段階をさらに具備することを特徴とする請求項１１に記載の方法。
【請求項１４】
トランザクション情報からのトランザクション値を、金融アカウント情報からの利用可能残高値と比較する段階をさらに具備することを特徴とする請求項１に記載の方法。
【請求項１５】
前記トランザクション値以上の個々のまたは組み合わされた利用可能資金残高を備えた金融アカウントのみを、顧客に提示する段階をさらに具備することを特徴とする請求項１４に記載の方法。
【請求項１６】
前記段階のうちの１つ以上は、支払いサーバーにより実行されることを特徴とする請求項１に記載の方法。
【請求項１７】
顧客に提示された複数の請求書から選択された請求書についての、顧客の金融アカウントからの支払いを容易にするための方法であって、
前記方法は、１つ以上のコンピュータプロセッサを用いて実行される段階を具備し、前記段階は、
複数の金融機関からの、少なくとも１人の顧客についての金融アカウント情報を、メモリ内にコンパイルする段階と、
複数の請求書の各々についての請求書情報を顧客に提示する段階と、
選択された特定の支払うべき請求書を指定する選択情報を、顧客から受信する段階と、
顧客についての金融アカウント情報を、メモリから回収する段階と、
金融アカウント情報を顧客に提示する段階と、
選択された請求書を支払うために用いるべき特定のアカウントを指定する選択情報を、顧客から受信する段階と
であることを特徴とする方法。
【請求項１８】
前記金融アカウント情報は、クレジットカード、チャージカード、デビットカード、スマートカード、バンクカード、要求払い預金、銀行当座預金、仮想支払いアカウント、仮想キャッシュアカウント、電信送金ネットワーク、金融電子データ交換（ＦＥＤＩ）、電子小切手、自動手形交換所（ＡＣＨ）、および、ストアードバリュー型ツールのうちの少なくとも１つに対応することを特徴とする請求項１７に記載の方法。
【請求項１９】
前記複数の金融アカウント情報データベースのうちの少なくとも２つを、１つの統合型金融アカウント情報データベースの形に統合する段階をさらに具備し、
前記回収段階は、前記統合型データベースを検索する段階を含むことを特徴とする請求項１７に記載の方法。
【請求項２０】
複数の顧客の金融アカウントの中から、１つ以上の金融アカウントの部分集合を選択する段階と、
部分集合を顧客に提示する段階と
をさらに具備することを特徴とする請求項１７に記載の方法。
【請求項２１】
前記アカウントの部分集合は、商店主／請求書作成者にとって受諾可能な金融アカウントを含むことを特徴とする請求項２０に記載の方法。
【請求項２２】
２つ以上の金融アカウントが選択される場合に、１つのトランザクションについての支払いを、２つ以上の金融アカウント間で分割する段階をさらに具備することを特徴とする請求項１７に記載の方法。
【請求項２３】
１つ以上の金融アカウントが顧客に提示される場合の順序を、金融アカウント情報を顧客に提示する前に選択する段階をさらに具備することを特徴とする請求項１７に記載の方法。
【請求項２４】
前記選択された顧客の金融アカウント情報を、前記商店主／請求書作成者に、または、支払いプロセッサに提供する前に暗号化する段階と、
金融アカウント情報を、顧客に提示される前に暗号化するか、または、切り捨てる段階と
をさらに具備することを特徴とする請求項１７に記載の方法。
【請求項２５】
前記複数の金融機関のうちの少なくとも１つからの前記金融アカウント情報を更新する段階をさらに具備することを特徴とする請求項１７に記載の方法。
【請求項２６】
顧客が登録された顧客であるか否かを判断する段階と、
顧客がまだ登録されていなければ、顧客を登録する段階と
をさらに具備することを特徴とする請求項１７に記載の方法。
【請求項２７】
前記顧客を登録する段階は、該顧客のＰＩＮ、ＰＩＮアドレス、または、バイオメトリック測定値を捕捉する段階をさらに含むことを特徴とする請求項２６に記載の方法。
【請求項２８】
前記バイオメトリック測定値は、音声パターン、指紋、網膜スキャン、または、筆跡サンプルを含むことを特徴とする請求項２７に記載の方法。
【請求項２９】
前記ＰＩＮ、ＰＩＮアドレス、バイオメトリック測定値のうちの少なくとも１つを、ＰＩＮ、ＰＩＮアドレス、または、バイオメトリック測定値がそれぞれ記憶されたデータベースと比較する段階をさらに具備することを特徴とする請求項２７に記載の方法。
【請求項３０】
トランザクション情報からのトランザクション値を、金融アカウント情報からの利用可能残高値と比較する段階をさらに具備することを特徴とする請求項１７に記載の方法。
【請求項３１】
前記トランザクション値以上の個々のまたは組み合わされた利用可能資金残高を備えた金融アカウントのみを、顧客に提示する段階をさらに具備することを特徴とする請求項３０に記載の方法。
【請求項３２】
前記段階のうちの１つ以上は、支払いサーバーにより実行されることを特徴とする請求項１７に記載の方法。
【請求項３３】
顧客の金融アカウントから、商店主／請求書作成者への、または、該商店主／請求書作成者と関連した支払いプロセッサへの、コンピュータネットワークを介しての支払いを容易にするための方法であって、
前記方法は、１つ以上のコンピュータプロセッサを用いて実行される段階を具備し、前記段階は、
複数の金融機関から受信される、少なくとも１人の顧客についての金融アカウント情報を、支払いサーバーのメモリ内にコンパイルする段階と、
特定の顧客に関連するトランザクション情報を、コンピュータネットワークを介して、支払いサーバーにおいて受信し、かつ、該トランザクション情報を記憶する段階と、
顧客についての金融アカウント情報を、メモリから回収する段階と、
金融アカウント情報を、コンピュータネットワークを介して、顧客へ送信する段階と、
顧客による、金融アカウントのうちの少なくとも１つの選択を、コンピュータネットワークを介して受信し、かつ、該選択を記憶する段階と、
選択された金融アカウント情報を、コンピュータネットワークを介して、前記商店主／請求書作成者へ、または、該商店主／請求書作成者と関連した支払いプロセッサへ送信する段階と
であることを特徴とする方法。
【請求項３４】
前記金融アカウント情報は、クレジットカード、チャージカード、デビットカード、スマートカード、バンクカード、要求払い預金、銀行当座預金、仮想支払いアカウント、仮想キャッシュアカウント、電信送金ネットワーク、金融電子データ交換（ＦＥＤＩ）、電子小切手、自動手形交換所（ＡＣＨ）、および、ストアードバリュー型ツールのうちの少なくとも１つに対応することを特徴とする請求項３３に記載の方法。
【請求項３５】
前記複数の金融アカウント情報データベースのうちの少なくとも２つを、１つの統合型金融アカウント情報データベースの形に統合する段階をさらに具備し、
前記回収段階は、前記統合型データベースを検索する段階を含むことを特徴とする請求項３３に記載の方法。
【請求項３６】
複数の顧客の金融アカウントの中から、１つ以上の金融アカウントの部分集合を選択する段階と、
部分集合を顧客に提示する段階と
をさらに具備することを特徴とする請求項３３に記載の方法。
【請求項３７】
前記アカウントの部分集合は、商店主／請求書作成者にとって受諾可能な金融アカウントを含むことを特徴とする請求項３６に記載の方法。
【請求項３８】
２つ以上の金融アカウントが選択される場合に、１つのトランザクションについての支払いを、２つ以上の金融アカウント間で分割する段階をさらに具備することを特徴とする請求項３３に記載の方法。
【請求項３９】
１つ以上の金融アカウントが顧客に提示される場合の順序を、金融アカウント情報を顧客に提示する前に選択する段階をさらに具備することを特徴とする請求項３３に記載の方法。
【請求項４０】
前記選択された顧客の金融アカウント情報を、前記商店主／請求書作成者に、または、支払いプロセッサに提供する前に暗号化する段階と、
金融アカウント情報を、顧客に提示される前に暗号化するか、または、切り捨てる段階と
をさらに具備することを特徴とする請求項３３に記載の方法。
【請求項４１】
前記複数の金融機関のうちの少なくとも１つからの前記金融アカウント情報を更新する段階をさらに具備することを特徴とする請求項３３に記載の方法。
【請求項４２】
顧客が登録された顧客であるか否かを判断する段階と、
顧客がまだ登録されていなければ、顧客を登録する段階と
をさらに具備することを特徴とする請求項３３に記載の方法。
【請求項４３】
前記顧客を登録する段階は、該顧客のＰＩＮ、ＰＩＮアドレス、または、バイオメトリック測定値を捕捉する段階をさらに含むことを特徴とする請求項４２に記載の方法。
【請求項４４】
前記バイオメトリック測定値は、音声パターン、指紋、網膜スキャン、または、筆跡サンプルを含むことを特徴とする請求項４３に記載の方法。
【請求項４５】
前記ＰＩＮ、ＰＩＮアドレス、バイオメトリック測定値のうちの少なくとも１つを、ＰＩＮ、ＰＩＮアドレス、または、バイオメトリック測定値がそれぞれ記憶されたデータベースと比較する段階をさらに具備することを特徴とする請求項４３に記載の方法。
【請求項４６】
トランザクション情報からのトランザクション値を、金融アカウント情報からの利用可能残高値と比較する段階をさらに具備することを特徴とする請求項３３に記載の方法。
【請求項４７】
前記トランザクション値以上の個々のまたは組み合わされた利用可能資金残高を備えた金融アカウントのみを、顧客に提示する段階をさらに具備することを特徴とする請求項４６に記載の方法。
【請求項４８】
前記段階のうちの１つ以上は、支払いサーバーにより実行されることを特徴とする請求項３３に記載の方法。
【請求項４９】
顧客の金融アカウントから、商店主／請求書作成者への、または、該商店主／請求書作成者と関連した支払いプロセッサへの支払いを容易にするための方法であって、
前記方法は、１つ以上のコンピュータプロセッサを用いて実行される段階を具備し、前記段階は、
複数の金融機関から受信される、少なくとも１人の顧客についての金融アカウント情報を、支払いサーバーのメモリ内にコンパイルする段階と、
特定の顧客に関連するトランザクション情報を受信する段階と、
前記トランザクション情報を支払いサーバーへ送信し、かつ、該トランザクション情報を記憶する段階と、
顧客についての金融アカウント情報を、メモリから回収する段階と、
金融アカウント情報を、インターフェース上に表示する段階と、
顧客による、金融アカウントのうちの少なくとも１つの選択を受信し、かつ、該選択を記憶する段階と、
選択された１つまたは複数の金融アカウントの情報を、前記商店主／請求書作成者へ、または、該商店主／請求書作成者と関連した支払いプロセッサへ送信する段階と
であることを特徴とする方法。
【請求項５０】
前記金融アカウント情報は、クレジットカード、チャージカード、デビットカード、スマートカード、バンクカード、要求払い預金、銀行当座預金、仮想支払いアカウント、仮想キャッシュアカウント、電信送金ネットワーク、金融電子データ交換（ＦＥＤＩ）、電子小切手、自動手形交換所（ＡＣＨ）、および、ストアードバリュー型ツールのうちの少なくとも１つに対応することを特徴とする請求項４９に記載の方法。
【請求項５１】
前記複数の金融アカウント情報データベースのうちの少なくとも２つを、１つの統合型金融アカウント情報データベースの形に統合する段階をさらに具備し、
前記回収段階は、前記統合型データベースを検索する段階を含むことを特徴とする請求項４９に記載の方法。
【請求項５２】
複数の顧客の金融アカウントの中から、１つ以上の金融アカウントの部分集合を選択する段階と、
部分集合を顧客に提示する段階と
をさらに具備することを特徴とする請求項４９に記載の方法。
【請求項５３】
前記アカウントの部分集合は、商店主／請求書作成者にとって受諾可能な金融アカウントを含むことを特徴とする請求項５２に記載の方法。
【請求項５４】
２つ以上の金融アカウントが選択される場合に、１つのトランザクションについての支払いを、２つ以上の金融アカウント間で分割する段階をさらに具備することを特徴とする請求項４９に記載の方法。
【請求項５５】
１つ以上の金融アカウントが顧客に提示される場合の順序を、金融アカウント情報を顧客に提示する前に選択する段階をさらに具備することを特徴とする請求項４９に記載の方法。
【請求項５６】
前記選択された顧客の金融アカウント情報を、前記商店主／請求書作成者に、または、支払いプロセッサに提供する前に暗号化する段階と、
金融アカウント情報を、顧客に提示される前に暗号化するか、または、切り捨てる段階と
をさらに具備することを特徴とする請求項４９に記載の方法。
【請求項５７】
前記複数の金融機関のうちの少なくとも１つからの前記金融アカウント情報を更新する段階をさらに具備することを特徴とする請求項４９に記載の方法。
【請求項５８】
顧客が登録された顧客であるか否かを判断する段階と、
顧客がまだ登録されていなければ、顧客を登録する段階と
をさらに具備することを特徴とする請求項４９に記載の方法。
【請求項５９】
前記顧客を登録する段階は、該顧客のＰＩＮ、ＰＩＮアドレス、または、バイオメトリック測定値を捕捉する段階をさらに含むことを特徴とする請求項５８に記載の方法。
【請求項６０】
前記バイオメトリック測定値は、音声パターン、指紋、網膜スキャン、または、筆跡サンプルを含むことを特徴とする請求項５９に記載の方法。
【請求項６１】
前記ＰＩＮ、ＰＩＮアドレス、バイオメトリック測定値のうちの少なくとも１つを、ＰＩＮ、ＰＩＮアドレス、または、バイオメトリック測定値がそれぞれ記憶されたデータベースと比較する段階をさらに具備することを特徴とする請求項５９に記載の方法。
【請求項６２】
トランザクション情報からのトランザクション値を、金融アカウント情報からの利用可能残高値と比較する段階をさらに具備することを特徴とする請求項４９に記載の方法。
【請求項６３】
前記トランザクション値以上の個々のまたは組み合わされた利用可能資金残高を備えた金融アカウントのみを、顧客に提示する段階をさらに具備することを特徴とする請求項６２に記載の方法。
【請求項６４】
前記インターフェースは、端末、スマート端末、スマートボックス、キーパッド、ＬＣＤディスプレイ、磁気カード読み取り装置、または、タッチパッドを含むことを特徴とする請求項４９に記載の方法。
【請求項６５】
前記商店主／請求書作成者にとって受諾可能な金融アカウントのみが、インターフェース上に表示されることを特徴とする請求項４９に記載の方法。
【請求項６６】
前記段階のうちの１つ以上は、支払いサーバーにより実行されることを特徴とする請求項４９に記載の方法。
【請求項６７】
顧客による直接的な請求書の支払いを容易にするための方法であって、
前記方法は、１つ以上のコンピュータプロセッサを用いて実行される段階を具備し、前記段階は、
商店主／請求書作成者から、または、該商店主／請求書作成者と関連した支払いプロセッサから、特定の顧客に関連する請求書情報を受信しかつ記憶する段階と、
複数の金融機関からのコンパイルされた顧客についての金融アカウント情報を、顧客データベースから回収する段階と、
顧客の金融アカウントのうちの１つ以上との請求書支払いインターフェースを、顧客に提示する段階と、
顧客による、請求書の支払いについての金融アカウントのうちの少なくとも１つの選択を受信しかつ記憶する段階と、
選択された１つまたは複数の金融アカウントの情報を、商店主／請求書作成者に、または、該商店主／請求書作成者と関連した支払いプロセッサに提供する段階と
であることを特徴とする方法。
【請求項６８】
前記金融アカウント情報は、クレジットカード、チャージカード、デビットカード、スマートカード、バンクカード、要求払い預金、銀行当座預金、仮想支払いアカウント、仮想キャッシュアカウント、電信送金ネットワーク、金融電子データ交換（ＦＥＤＩ）、電子小切手、自動手形交換所（ＡＣＨ）、および、ストアードバリュー型ツールのうちの少なくとも１つに対応することを特徴とする請求項６７に記載の方法。
【請求項６９】
前記複数の金融アカウント情報データベースのうちの少なくとも２つを、１つの統合型金融アカウント情報データベースの形に統合する段階をさらに具備し、
前記回収段階は、前記統合型データベースを検索する段階を含むことを特徴とする請求項６７に記載の方法。
【請求項７０】
複数の顧客の金融アカウントの中から、１つ以上の金融アカウントの部分集合を選択する段階と、
部分集合を顧客に提示する段階と
をさらに具備することを特徴とする請求項６７に記載の方法。
【請求項７１】
前記アカウントの部分集合は、商店主／請求書作成者にとって受諾可能な金融アカウントを含むことを特徴とする請求項７０に記載の方法。
【請求項７２】
２つ以上の金融アカウントが選択される場合に、１つのトランザクションについての支払いを、２つ以上の金融アカウント間で分割する段階をさらに具備することを特徴とする請求項６７に記載の方法。
【請求項７３】
１つ以上の金融アカウントが顧客に提示される場合の順序を、金融アカウント情報を顧客に提示する前に選択する段階をさらに具備することを特徴とする請求項６７に記載の方法。
【請求項７４】
前記選択された顧客の金融アカウント情報を、前記商店主／請求書作成者に、または、支払いプロセッサに提供する前に暗号化する段階と、
金融アカウント情報を、顧客に提示される前に暗号化するか、または、切り捨てる段階と
をさらに具備することを特徴とする請求項６７に記載の方法。
【請求項７５】
前記複数の金融機関のうちの少なくとも１つからの前記金融アカウント情報を更新する段階をさらに具備することを特徴とする請求項６７に記載の方法。
【請求項７６】
顧客が登録された顧客であるか否かを判断する段階と、
顧客がまだ登録されていなければ、顧客を登録する段階と
をさらに具備することを特徴とする請求項６７に記載の方法。
【請求項７７】
前記顧客を登録する段階は、該顧客のＰＩＮ、ＰＩＮアドレス、または、バイオメトリック測定値を捕捉する段階をさらに含むことを特徴とする請求項７６に記載の方法。
【請求項７８】
前記バイオメトリック測定値は、音声パターン、指紋、網膜スキャン、または、筆跡サンプルを含むことを特徴とする請求項７７に記載の方法。
【請求項７９】
前記ＰＩＮ、ＰＩＮアドレス、バイオメトリック測定値のうちの少なくとも１つを、ＰＩＮ、ＰＩＮアドレス、または、バイオメトリック測定値がそれぞれ記憶されたデータベースと比較する段階をさらに具備することを特徴とする請求項７７に記載の方法。
【請求項８０】
トランザクション情報からのトランザクション値を、金融アカウント情報からの利用可能残高値と比較する段階をさらに具備することを特徴とする請求項６７に記載の方法。
【請求項８１】
前記トランザクション値以上の個々のまたは組み合わされた利用可能資金残高を備えた金融アカウントのみを、顧客に提示する段階をさらに具備することを特徴とする請求項８０に記載の方法。
【請求項８２】
前記段階のうちの１つ以上は、支払いサーバーにより実行されることを特徴とする請求項６７に記載の方法。
【請求項８３】
顧客の金融アカウントから、商店主／請求書作成者への、または、該商店主／請求書作成者と関連した支払いプロセッサへの支払いを容易にするためのシステムであって、
プロセッサと、
プロセッサを制御するための処理命令を記憶するメモリと
を具備し、前記プロセッサは、
複数の金融機関からの、少なくとも１人の顧客についての金融アカウント情報を、メモリ内にコンパイルするための処理命令と、
特定の顧客に関連するトランザクション情報を受信しかつ記憶するための処理命令と、
顧客についての金融アカウント情報を、メモリから回収するための処理命令と、
金融アカウント情報を顧客に提示するための処理命令と、
顧客による、金融アカウントのうちの少なくとも１つの選択を受信しかつ記憶するための処理命令と、
選択された１つまたは複数の金融アカウントの情報を、商店主／請求書作成者に、または、該商店主／請求書作成者と関連した支払いプロセッサに提供するための処理命令と
によって作用することを特徴とするシステム。
【請求項８４】
前記金融アカウント情報は、クレジットカード、チャージカード、デビットカード、スマートカード、バンクカード、要求払い預金、銀行当座預金、仮想支払いアカウント、仮想キャッシュアカウント、電信送金ネットワーク、金融電子データ交換（ＦＥＤＩ）、電子小切手、自動手形交換所（ＡＣＨ）、および、ストアードバリュー型ツールのうちの少なくとも１つに対応することを特徴とする請求項８３に記載のシステム。
【請求項８５】
前記プロセッサは、前記複数の金融アカウント情報データベースのうちの少なくとも２つを、１つの統合型金融アカウント情報データベースの形に統合するように作用することを特徴とする請求項８３に記載のシステム。
【請求項８６】
前記プロセッサは、
複数の顧客の金融アカウントの中から、１つ以上の金融アカウントの部分集合を選択するように作用し、
部分集合を顧客に提示するように作用する
ことを特徴とする請求項８３に記載のシステム。
【請求項８７】
前記プロセッサは、商店主／請求書作成者にとって受諾可能な金融アカウントを含むアカウントの部分集合を選択するように作用することを特徴とする請求項８３に記載のシステム。
【請求項８８】
前記プロセッサは、２つ以上の金融アカウントが選択される場合に、１つのトランザクションについての支払いを、２つ以上の金融アカウント間で分割するように作用することを特徴とする請求項８３に記載のシステム。
【請求項８９】
前記プロセッサは、１つ以上の金融アカウントが顧客に提示される場合の順序を、金融アカウント情報を顧客に提示する前に選択するように作用することを特徴とする請求項８３に記載のシステム。
【請求項９０】
前記プロセッサは、
前記選択された顧客の金融アカウント情報を、前記商店主／請求書作成者に、または、支払いプロセッサに提供する前に暗号化するように作用し、
金融アカウント情報を、顧客に提示される前に暗号化するか、または、切り捨てるように作用する
ことを特徴とする請求項８３に記載のシステム。
【請求項９１】
前記プロセッサは、前記複数の金融機関のうちの少なくとも１つからの前記金融アカウント情報を更新するように作用することを特徴とする請求項８３に記載のシステム。
【請求項９２】
前記プロセッサは、
顧客が登録された顧客であるか否かを判断するように作用し、
顧客がまだ登録されていなければ、顧客を登録するように作用する
ことを特徴とする請求項８３に記載のシステム。
【請求項９３】
前記プロセッサは、登録の一部として、該顧客のＰＩＮ、ＰＩＮアドレス、または、バイオメトリック測定値を捕捉するように作用することを特徴とする請求項９２に記載のシステム。
【請求項９４】
前記バイオメトリック測定値は、音声パターン、指紋、網膜スキャン、または、筆跡サンプルを含むことを特徴とする請求項９３に記載のシステム。
【請求項９５】
前記プロセッサは、前記ＰＩＮ、ＰＩＮアドレス、バイオメトリック測定値のうちの少なくとも１つを、ＰＩＮ、ＰＩＮアドレス、または、バイオメトリック測定値がそれぞれ記憶されたデータベースと比較するように作用することを特徴とする請求項９３に記載のシステム。
【請求項９６】
前記プロセッサは、トランザクション情報からのトランザクション値を、金融アカウント情報からの利用可能残高値と比較するように作用することを特徴とする請求項８３に記載のシステム。
【請求項９７】
前記プロセッサは、前記トランザクション値以上の個々のまたは組み合わされた利用可能資金残高を備えた金融アカウントのみを、顧客に提示するように作用することを特徴とする請求項９６に記載のシステム。
【請求項９８】
前記メモリの一部は、支払いサーバーに設置されることを特徴とする請求項８３に記載のシステム。
【請求項９９】
顧客に提示された複数の請求書から選択された請求書についての、顧客の金融アカウントからの支払いを容易にするためのシステムであって、
プロセッサと、
プロセッサを制御するための処理命令を記憶するメモリと
を具備し、前記プロセッサは、
複数の金融機関からの、少なくとも１人の顧客についての金融アカウント情報を、メモリ内にコンパイルするための処理命令と、
複数の請求書の各々についての請求書情報を顧客に提示するための処理命令と、
選択された特定の支払うべき請求書を指定する選択情報を、顧客から受信するための処理命令と、
顧客についての金融アカウント情報を、メモリから回収するための処理命令と、
金融アカウント情報を顧客に提示するための処理命令と、
選択された請求書を支払うために用いるべき特定のアカウントを指定する選択情報を、顧客から受信するための処理命令と
によって作用することを特徴とするシステム。
【請求項１００】
前記メモリの一部は、支払いサーバーに設置されることを特徴とする請求項９９に記載のシステム。
【請求項１０１】
顧客の金融アカウントから、商店主／請求書作成者への、または、該商店主／請求書作成者と関連した支払いプロセッサへの、コンピュータネットワークを介しての支払いを容易にするためのシステムであって、
プロセッサと、
プロセッサを制御するための処理命令を記憶するメモリと
を具備し、前記プロセッサは、
複数の金融機関から受信される、少なくとも１人の顧客についての金融アカウント情報を、支払いサーバーのメモリ内にコンパイルするための処理命令と、
特定の顧客に関連するトランザクション情報を、コンピュータネットワークを介して、支払いサーバーにおいて受信し、かつ、該トランザクション情報を記憶するための処理命令と、
顧客についての金融アカウント情報を、メモリから回収するための処理命令と、
金融アカウント情報を、コンピュータネットワークを介して、顧客へ送信するための処理命令と、
顧客による、金融アカウントのうちの少なくとも１つの選択を、コンピュータネットワークを介して受信し、かつ、該選択を記憶するための処理命令と、
選択された金融アカウント情報を、コンピュータネットワークを介して、前記商店主／請求書作成者へ、または、該商店主／請求書作成者と関連した支払いプロセッサへ送信するための処理命令と
によって作用することを特徴とするシステム。
【請求項１０２】
前記メモリの一部は、支払いサーバーに設置されることを特徴とする請求項１０１に記載のシステム。
【請求項１０３】
顧客の金融アカウントから、商店主／請求書作成者への、または、該商店主／請求書作成者と関連した支払いプロセッサへの支払いを容易にするためのシステムであって、
プロセッサと、
プロセッサを制御するための処理命令を記憶するメモリと
を具備し、前記プロセッサは、
複数の金融機関から受信される、少なくとも１人の顧客についての金融アカウント情報を、支払いサーバーのメモリ内にコンパイルするための処理命令と、
特定の顧客に関連するトランザクション情報を受信するための処理命令と、
前記トランザクション情報を支払いサーバーへ送信し、かつ、該トランザクション情報を記憶するための処理命令と、
顧客についての金融アカウント情報を、メモリから回収するための処理命令と、
金融アカウント情報を、インターフェース上に表示するための処理命令と、
顧客による、金融アカウントのうちの少なくとも１つの選択を受信し、かつ、該選択を記憶するための処理命令と、
選択された１つまたは複数の金融アカウントの情報を、前記商店主／請求書作成者へ、または、該商店主／請求書作成者と関連した支払いプロセッサへ送信するための処理命令と
によって作用することを特徴とするシステム。
【請求項１０４】
前記メモリの一部は、支払いサーバーに設置されることを特徴とする請求項１０３に記載のシステム。
【請求項１０５】
顧客による直接的な請求書の支払いを容易にするためのシステムであって、
プロセッサと、
プロセッサを制御するための処理命令を記憶するメモリと
を具備し、前記プロセッサは、
商店主／請求書作成者から、または、該商店主／請求書作成者と関連した支払いプロセッサから、特定の顧客に関連する請求書情報を受信しかつ記憶するための処理命令と、
複数の金融機関からのコンパイルされた顧客についての金融アカウント情報を、顧客データベースから回収するための処理命令と、
顧客の金融アカウントのうちの１つ以上との請求書支払いインターフェースを、顧客に提示するための処理命令と、
顧客による、請求書の支払いについての金融アカウントのうちの少なくとも１つの選択を受信しかつ記憶するための処理命令と、
選択された１つまたは複数の金融アカウントの情報を、商店主／請求書作成者に、または、該商店主／請求書作成者と関連した支払いプロセッサに提供するための処理命令と
によって作用することを特徴とするシステム。
【請求項１０６】
前記メモリの一部は、支払いサーバーに設置されることを特徴とする請求項１０５に記載のシステム。
【請求項１０７】
金融機関により維持される顧客の金融アカウントから、商店主／請求書作成者への、または、該商店主／請求書作成者と関連した支払いプロセッサへの支払いを容易にするための方法であって、
前記方法は、１つ以上のコンピュータプロセッサを用いて実行される段階を具備し、前記段階は、
複数の金融機関からの、少なくとも１人の顧客についての金融アカウント情報を、メモリ内にコンパイルする段階と、
特定の顧客に関連するトランザクション情報を受信しかつ記憶する段階と、
顧客についての金融アカウント情報を、メモリから回収する段階と、
複数の金融機関により維持される、顧客についてのさらなるアカウント情報を得るために、金融アカウント情報を用いる段階と、
金融アカウント情報、および、さらなる金融アカウント情報のうちの少なくとも１つを顧客に提示する段階と、
顧客による、さらなる金融アカウント情報に対応する金融アカウントのうちの少なくとも１つの選択を受信しかつ記憶する段階と、
選択されたさらなる金融アカウント情報を、商店主／請求書作成者に、または、該商店主／請求書作成者と関連した支払いプロセッサに提供する段階と
であることを特徴とする方法。
【請求項１０８】
前記段階のうちの１つ以上は、支払いサーバーにより実行されることを特徴とする請求項１０７に記載の方法。
【請求項１０９】
金融機関により維持される顧客の金融アカウントから、商店主／請求書作成者への、または、該商店主／請求書作成者と関連した支払いプロセッサへの支払いを容易にするための方法であって、
前記方法は、１つ以上のコンピュータプロセッサを用いて実行される段階を具備し、前記段階は、
複数の金融機関からの、少なくとも１人の顧客についての金融アカウント情報であって、複数の金融機関により維持される顧客のアカウントのさらなる金融アカウント情報を回収するために用いられる情報を含む金融アカウント情報を、メモリ内にコンパイルする段階と、
特定の顧客に関連するトランザクション情報を受信しかつ記憶する段階と、
顧客についての金融アカウント情報を、メモリから回収する段階と、
複数の金融機関により維持される、顧客についてのさらなるアカウント情報を得るために、金融アカウント情報を用いる段階と、
金融アカウント情報、および、さらなる金融アカウント情報のうちの少なくとも１つを顧客に提示する段階と、
顧客による、さらなる金融アカウント情報に対応する金融アカウントのうちの少なくとも１つの選択を受信しかつ記憶する段階と、
選択されたさらなる金融アカウント情報を、商店主／請求書作成者に、または、該商店主／請求書作成者と関連した支払いプロセッサに提供する段階と
であることを特徴とする方法。
【請求項１１０】
前記段階のうちの１つ以上は、支払いサーバーにより実行されることを特徴とする請求項１０９に記載の方法。
【請求項１１１】
金融機関により維持される顧客の金融アカウントから、商店主／請求書作成者への、または、該商店主／請求書作成者と関連した支払いプロセッサへの支払いを容易にするための方法であって、
前記方法は、１つ以上のコンピュータプロセッサを用いて実行される段階を具備し、前記段階は、
複数の金融機関からの、少なくとも１人の顧客についての金融アカウント情報であって、複数の金融機関により維持される顧客のアカウントのさらなる金融アカウント情報へのアクセスを可能にする認可情報を含む金融アカウント情報を、メモリ内にコンパイルする段階と、
特定の顧客に関連するトランザクション情報を受信しかつ記憶する段階と、
顧客についての金融アカウント情報を、メモリから回収する段階と、
複数の金融機関により維持される、顧客についてのさらなるアカウント情報を捜し出しかつ得るために、金融アカウント情報を用いる段階と、
金融アカウント情報、および、さらなる金融アカウント情報のうちの少なくとも１つを顧客に提示する段階と、
顧客による、さらなる金融アカウント情報に対応する金融アカウントのうちの少なくとも１つの選択を受信しかつ記憶する段階と、
選択されたさらなる金融アカウント情報を、商店主／請求書作成者に、または、該商店主／請求書作成者と関連した支払いプロセッサに提供する段階と
であることを特徴とする方法。
【請求項１１２】
前記段階のうちの１つ以上は、支払いサーバーにより実行されることを特徴とする請求項１１１に記載の方法。
【手続補正２】
【補正対象書類名】図面
【補正対象項目名】図１０
【補正方法】変更
【補正の内容】
【図１０】
2004506973.tif 000001
【手続補正３】
【補正対象書類名】図面
【補正対象項目名】図１１
【補正方法】変更
【補正の内容】
【図１１】
2004506973.tif 000002
【手続補正４】
【補正対象書類名】図面
【補正対象項目名】図１２
【補正方法】変更
【補正の内容】
【図１２】
2004506973.tif 000003